(57)【特許請求の範囲】
【請求項１】
電子機器を把持するためのグリップの一部を構成し、前記電子機器に電子部品を装着するための装着部が設けられた電子部品装着領域を覆うための外カバーと、
前記電子部品装着領域に設けられ、前記電子部品の接続箇所を覆うための内カバーとを備え、
前記外カバーが第１の支持部材により回動可能に支持されるとともに前記内カバーが第２の支持部材により回動可能に支持され、前記第１および第２の支持部材が前記電子部品装着領域において相互に反対側に配置されて前記外カバーと前記内カバーは相互に反対方向に開閉し、前記外カバーは前記内カバーが閉塞した状態で前記内カバーの表面全てを覆い、
前記電子部品装着領域が前記電子機器の側面に形成され、
前記内カバーが前記側面に略平行になるまで開放可能であることを特徴とする電子機器のカバー構造。
【請求項２】
前記外カバーの先端に突起または凹部が形成され、前記内カバーには、前記突起または凹部が係合する凹部または突起が形成されることを特徴とする請求項１に記載の電子機器のカバー構造。
【請求項３】
前記内カバーが前記他方の縁部に設けられたピンに嵌合される筒状部を備え、前記凹部が前記筒状部に形成されることを特徴とする請求項２に記載の電子機器のカバー構造。
【請求項４】
前記他方の縁部が前記電子機器の背面側に位置することを特徴とする請求項３に記載の電子機器のカバー構造。
【請求項５】
前記内カバーは前記接続箇所を覆う閉塞状態から１８０°回転して開放可能であることを特徴とする請求項４に記載の電子機器のカバー構造。
【請求項６】
前記突起は、前記外カバーが閉塞状態にあるときに前記一方の縁部に向かって延びることを特徴とする請求項２に記載の電子機器のカバー構造。
【請求項７】
前記外カバーは前記内カバーよりも相対的に軟らかい材料で成形されることを特徴とする請求項１に記載の電子機器のカバー構造。
【請求項８】
前記外カバーの内面は閉塞状態において前記内カバーの外面に当接し、前記外カバーの内方への撓みが抑制されることを特徴とする請求項７に記載の電子機器のカバー構造。
【請求項９】
前記外カバーは、閉塞状態において前記内カバーに当接する第１外カバー部と、閉塞状態において前記内カバーに当接せず、前記第１外カバー部よりも相対的に厚い第２外カバー部とを備えることを特徴とする請求項１〜８のいずれかに記載の電子機器のカバー構造。
【請求項１０】
前記内カバーは合成樹脂から成形され、前記外カバーはゴムから成形されることを特徴とする請求項７に記載の電子機器のカバー構造。
【請求項１１】
前記外カバーの先端の一部が前記電子機器の本体内に入り込むことにより、前記電子機器の本体の背面に段差なく連結して、前記背面の一部を構成することを特徴とする請求項１に記載の電子機器のカバー構造。
【請求項１２】
前記外カバーの先端が前記電子機器の本体の背面に連続していることを特徴とする請求項１に記載の電子機器のカバー構造。
【請求項１３】
前記電子部品装着領域が前記電子機器の側面と背面の間に位置する角部を凹陥させて形成され、前記外カバーは前記凹陥した部分を覆い、前記外カバーの先端は前記電子機器の背面の一部を構成することを特徴とする請求項１に記載の電子機器のカバー構造。
【請求項１４】
電子機器を把持するためのグリップの一部を構成し、前記電子機器に電子部品を装着するための装着部が設けられた電子部品装着領域を覆うための外カバーと、
前記電子部品装着領域に設けられ、前記電子部品の接続箇所を覆うための内カバーとを備え、
前記外カバーと前記内カバーは相互に反対方向に開閉し、
前記電子部品装着領域が前記電子機器の側面に形成され、前記内カバーは前記側面側に配置されて前記側面の一部のみを覆い、前記外カバーは閉状態において、前記側面と前記背面の一部を覆い、
前記内カバーが前記側面に略平行になるまで開放可能であることを特徴とする電子機器のカバー構造。
【発明の詳細な説明】
【技術分野】
【０００１】
本発明はデジタルカメラ等の電子機器のカバー構造に関し、より詳しくは電子機器のグリップの一部を構成し、電子機器に記録媒体等を装着する領域を覆うためのカバーの構造に関する。
【背景技術】
【０００２】
従来電子機器のカバーの構造として特許文献１に開示された構成が知られている。電子機器の端面には、バッテリを装着するための収容孔と記録媒体を装着するためのスリットとが形成されており、バッテリの収容孔は内カバーによって閉塞され、記録媒体のスリットと内カバーは外カバーによって閉塞される。外カバーはカメラ本体の縁部において回動自在に支持され、内カバーは外カバーの支持部よりも内側において回動自在に支持される。すなわち、外カバーと内カバーを回動自在に支持する部位は近接しており、外カバーと内カバーは同じ方向に開閉動作する。
【先行技術文献】
【特許文献】
【０００３】
【特許文献１】特許第３５３５８６０号公報
【発明の概要】
【発明が解決しようとする課題】
【０００４】
従来のカバー構造では、上述のように内カバーの支持部は外カバーの支持部に近接している。したがって内カバーを十分に開放できるようにするには、外カバーの支持部の構造や内カバーの厚さ等を考慮して、内カバーの支持部を外カバーの支持部から離間させなければならない。すなわち内カバーの支持部は、電子機器の端面において外カバーの支持部よりも、内カバーの厚さ分だけ内側に位置しており、内カバーの支持部の近傍は他の用途に利用することができず、設計が制約されるという問題がある。
【０００５】
本発明は、電子機器の端面に設けられるカバーの構造を改良することにより、電子機器の端面を広く利用することを可能にし、電子機器の端面における構成要素の配置の自由度を高めることを目的としている。
【課題を解決するための手段】
【０００６】
本発明に係る電子機器のカバー構造は、電子機器を把持するためのグリップの一部を構成し、電子機器に電子部品を装着するための装着部が設けられた電子部品装着領域を覆うための外カバーと、電子部品装着領域に設けられ、電子部品の接続箇所を覆うための内カバーとを備え、外カバーが第１の支持部材により回動可能に支持されるとともに内カバーが第２の支持部材により回動可能に支持され、第１および第２の支持部材が電子部品装着領域において相互に反対側に配置されて外カバーと内カバーは相互に反対方向に開閉し、外カバーは内カバーが閉塞した状態で内カバーの表面全てを覆うことを特徴としている。
【０００７】
好ましくは、外カバーの先端に突起または凹部が形成され、内カバーには、突起または凹部が係合する凹部または突起が形成される。この構成によれば、外カバーは内カバーに強固に係合し、電子機器の使用中に外カバーが容易に開放することはない。この構成において、内カバーが他方の縁部に設けられたピンに嵌合される筒状部を備え、凹部が筒状部に形成されてもよい。また、この場合、他方の縁部が電子機器の背面側に位置するように構成してもよく、内カバーは接続箇所を覆う閉塞状態から１８０°回転して開放可能であることが好ましい。
【０００８】
外カバーの先端に形成される突起は、外カバーが閉塞状態にあるときに一方の縁部に向かって延びるように構成されてもよい。
【０００９】
外カバーは内カバーよりも相対的に軟らかい材料で成形されてもよく、この場合、外カバーの内面が閉塞状態において内カバーの外面に当接し、外カバーの内方への撓みが抑制されるように構成されることが好ましい。例えば外カバーは、閉塞状態において内カバーに当接する第１外カバー部と、閉塞状態において内カバーに当接せず、第１外カバー部よりも相対的に厚い第２外カバー部とを備える。
【００１０】
カバーの材質として、内カバーは例えば合成樹脂から成形され、外カバーは例えばゴムから成形される。
【００１１】
外カバーの先端の一部が電子機器の本体内に入り込むことにより、電子機器の本体の背面に段差なく連結して、背面の一部を構成することが好ましく、この場合外カバーの先端の一部とは例えば突起である。
【００１２】
電子部品装着領域は、例えば電子機器の側面と背面の間に位置する角部を凹陥させて形成される。この構成において、外カバーは凹陥した部分を覆い、外カバーの先端は電子機器の背面の一部を構成することが好ましい。
【００１３】
また本発明に係る第２の電子機器のカバー構造は、電子機器を把持するためのグリップの一部を構成し、電子機器に電子部品を装着するための装着部が設けられた電子部品装着領域を覆うための外カバーと、電子部品装着領域に設けられ、電子部品の接続箇所を覆うための内カバーとを備え、外カバーと内カバーは相互に反対方向に開閉し、電子部品装着領域が電子機器の側面に形成され、内カバーは側面側に配置されて側面の一部のみを覆い、外カバーは閉状態において、側面と背面の一部を覆うことを特徴としている。
【発明の効果】
【００１４】
本発明によれば、電子機器の端面を広く利用することが可能となり、電子機器の端面における構成要素の配置の自由度が高められる。
【図面の簡単な説明】
【００１５】
【図１】本発明の一実施形態を適用したレンズ交換式カメラであって、外カバーを閉じた状態を示す斜視図である。
【図２】図１に示すカメラにおいて外カバーを開放し、内カバーを閉塞した状態を示す斜視図である。
【図３】図１に示すカメラにおいて外カバーと内カバーを開放した状態を示す斜視図である。
【図４】開放状態にある外カバーをカメラ本体の後方から見た図である。
【図５】外カバーのみを示す斜視図である。
【図６】開放状態にある内カバーをカメラ本体の側方から見た図である。
【図７】内カバーのみを示す斜視図である。
【図８】外カバーが閉塞する動作の途中の段階を示し、外カバーの中央付近で切断した水平断面図である。
【図９】外カバーが閉塞した状態を示し、外カバーの中央付近で切断した水平断面図である。
【発明を実施するための形態】
【００１６】
以下、本発明の一実施形態を図面を参照して説明する。
図１はレンズ交換式カメラを後方から見た斜視図である。カメラ本体１０の右側部分であるグリップ１１は使用者が右手で把持しやすいような形状に成形され、右側面の中心線Ｃよりも前側部分はゴムから成形されたグリップカバー１２により被覆され、後側部分はゴムから成形された外カバー２０により覆われる。後述するように、外カバー２０は中心線Ｃの周りに回動して開閉し、またグリップカバー１２と外カバー２０は同一平面を構成する。
【００１７】
カメラ本体１０の上面にはシャッターボタン１３、電源レバー１４、モードダイアル１５等の操作部材が設けられ、カメラ本体１０の背面には十字キー１６、メニューボタン１７等の操作部材とモニタ１８が設けられる。操作部材の多くはグリップ１１の近くに設けられている。
【００１８】
図２、３を参照して外カバー２０が覆う電子部品装着領域３０の構成を説明する。電子部品装着領域３０はＳＤカードスロット３１、ＵＳＢ／ＡＶコネクタ３２、ＨＤＭＩ（登録商標）コネクタ３３を有する。ＳＤカードスロット３１はＳＤカードを装着するために設けられる。カメラの電源がオン状態にあるときにＳＤカードが抜かれるとＳＤカードに記録されたデータが破損するおそれがあるため、ＳＤカードスロット３１は内カバー４０によって覆われ、電子部品装着領域３０には、内カバー４０の開閉状態を検出するためのスイッチ（図示せず）が設けられている。すなわち、コネクタ類を使用する際に外カバー２０を開放しても、内カバー４０は閉状態を維持しており、この閉状態を検知することにより、カメラを問題なく動作させることができる。
【００１９】
外カバー２０は、図２に示されるように内カバー４０が閉塞状態にあるとき、カメラ本体１０の電子部品装着領域３０を閉塞可能である。内カバー４０は外側から押されても容易に変形しないよう、例えば合成樹脂から成形される。すなわち、外カバー２０はゴムから成り、外側から押圧すると内側へ撓むが、内カバー４０の部分が押圧されても内カバー４０は実質的に変形しない。
【００２０】
図４、５を参照して外カバー２０の構成を説明する。外カバー２０は、外カバー２０の閉塞状態において内カバー４０（図２）に当接する第１外カバー部２１と、外カバー２０の閉塞状態において内カバー４０に当接しない第２外カバー部２２とを有する。外カバー２０のグリップカバー１２側の部分である連結端部にはコの字状を呈する第１の支持部材２３が形成される。支持部材２３の一方の脚部２３ａは第１外カバー部２１に接続され、支持部材２３の他方の脚部２３ｂは第２外カバー部２２に接続される。脚部２３ａと脚部２３ｂを連結するピン２３ｃはカメラ本体内の支持部（図示せず）に係合し、外カバー２０はカメラ本体によって回動自在に支持される。また外カバー２０はカメラ本体に対して、脚部２３ａ、２３ｂの長さに応じた分だけ、引き出すことが可能である。
【００２１】
第２外カバー部２２は第１外カバー部２１よりも相対的に厚い。すなわち第２外カバー部２２は、内カバー４０の厚さに対応した分だけ、第１外カバー部２１よりも厚く成形される。また第１外カバー部２１には、内カバー４０の外表面に当接する細長い隆起部２４が設けられ、第２外カバー部２２には、ＵＳＢ／ＡＶコネクタ３２とＨＤＭＩ（登録商標）コネクタ３３よりも外側部分に当接する細長い隆起部２５、２６が設けられる。すなわち外カバー２０の閉塞状態において、外カバー２０の内面は内カバー４０の外面に当接し、外カバー２０の内方への撓みが抑制される。
【００２２】
外カバー２０の先端には突起５１、５２、５３が形成される。第１の突起５１は外カバー２０の縁部の上端に設けられ、内カバー４０に形成された第１の凹部４１に係合可能である。第２の突起５２は外カバー２０の縁部の中央に設けられ、内カバー４０の形成された第２の凹部４２に係合可能である。第３の突起５３は外カバー２０の縁部の下端に設けられ、電子部品装着領域３０の縁部の下端に設けられた舌部３４に係合可能である。
【００２３】
図６、７を参照して内カバー４０の構成を説明する。内カバー４０は、ＳＤカードスロット３１を閉塞するための内カバー本体４３と、カメラ本体１０に設けられたピン（第２の支持部材）１３に嵌合される筒状部４４、４５と、ピン１３に係合する受け部４６とを有する。内カバー本体４３には、ＳＤカードスロット３１に装着されたＳＤカードの電子部品装着領域３０の表面からの突出部分を覆う溝４７が形成される。
【００２４】
第１の凹部４１は筒状部４４に形成され、第２の凹部４２は筒状部４５に形成される。第１および第２の凹部４１、４２は、内カバー４０が閉塞した状態において、図４に示されるようにカメラ本体１０側を向き、外カバー２０の第１および第２の突起５１、５２が係合すると、外カバー２０が開放しにくくなるように構成されている。また凹部４１、４２の上下方向の長さ、すなわちピン１３の軸方向に沿う長さは、それぞれ突起５１、５２の上下方向の長さよりも大きく、凹部４１のピン１３の周方向に沿う長さは突起５１の厚さに略等しいが、凹部４２のピン１３の周方向に沿う長さは突起５２の厚さよりも小さい。したがって外カバー２０を閉塞するとき、外カバー２０の中央に位置する突起５２は、凹部４２の中に押し潰すように嵌入されることとなり、閉塞状態にある外カバー２０の中央部におけるガタが防止される。
【００２５】
内カバー４０は図６に示されるように、閉塞状態から１８０°回転して開放可能である。この開放状態において、第１および第２の凹部４１、４２はカメラ本体１０とは反対方向を向いている。
【００２６】
図８、９を参照して外カバー２０と内カバー４０の係合関係を説明する。図８に示すように、内カバー４０は閉塞状態においてＳＤカード６１を覆っており、凹部４２はカメラ本体１０側を向いている。これにより凹部４２と電子部品装着領域３０の表面との間に、外カバー２０の突起５２が挿入可能な突起侵入空間Ｓが形成される。外カバー２０は、ピン２３ｃがカメラ本体１０内の支持部（図示せず）に係止するまで引張り出すことができ、図８の状態では内カバー４０に略平行な状態に定められ、カメラ本体１０の後方（図８の左方）に引き出されている。
【００２７】
図８の状態から外カバー２０をカメラ本体１０の前面側（図８の右方）に変位させると、図９に示されるように突起５２が凹部４２に係合し、外カバー２０は閉塞状態に固定される。この状態で外カバー２０の縁部２７はグリップカバー１２に近接し、外カバー２０とグリップカバー１２は縁部２７において連続した平面になる。
【００２８】
電子部品装着領域３０は、カメラ本体１０の側面（図９において下側の面）と背面（図９において左側の面）の間に位置する角部を凹陥させて形成され、電子部品装着領域３０はカメラ本体１０の側面よりも凹陥している。すなわち内カバー４０はカメラ本体１０の側面よりも凹陥した部分に配置されてＳＤカードスロット３１を閉塞し、外カバー２０は電子部品装着領域３０を覆った状態において、図９に示すように、カメラ本体１０の側面と背面の一部を構成する。ここでいう背面の一部とは、外カバー２０の先端である湾曲面２０ａであり、カメラ本体１０の背面１０ａと実質的に段差なく、連続している。
【００２９】
図２、３から理解されるように、外カバー２０は第１の支持部材２３により回動可能に支持され、内カバー４０はピン（第２の支持部材）１３により回動可能に支持される。第１の支持部材２３とピン１３は電子部品装着領域３０において相互に反対側に配置される。換言すれば、外カバー２０と内カバー４０は相互に反対方向に開閉し、外カバー２０は閉塞した状態で内カバー４０の表面全てを覆う。また外カバー２０はカメラ本体１０の側面に対して略垂直になるまで開放するとともに、内カバー４０はカメラ本体１０の側面に略平行になるまで開放する。内カバー４０は閉塞状態から１８０°回転して開放状態になるので、ＳＤカードのＳＤカードスロット３１への装着動作において内カバー４０が邪魔にならず、ＳＤカードの装着あるいは取出し作業が容易になる。
【００３０】
内カバー４０を回動可能に支持するピン１３は、電子部品装着領域３０のカメラ本体１０の背面に近接した縁部に設けられる。したがって外カバー２０を、図８に示すようにカメラ本体１０の背面側に引き出しやすくなり、またＳＤカードスロット３１をカメラ本体１０の前方側へ配置することができる等、電子部品装着領域３０を広く利用することが可能になり、設計の自由度が高まる。
【００３１】
外カバー２０の突起５１、５２は、外カバー２０の閉塞状態にあるとき縁部３５に向かって延びる。つまり突起５１、５２が突出する方向は、カメラの使用者がカメラ本体１０のグリップ１１を把持するときに作用する力の方向である。また、外カバー２０の先端側は、突起５１、５２がカメラ本体内に入り込むことにより、カメラ本体の背面に段差なく連結してカメラ本体の背面の一部を構成する。したがって、使用時においてカメラを把持しているときは常に、突起５１、５２は凹部４１、４２に係合する方向に押されることとなり、外カバー２０はより強固に閉塞状態を維持することができる。
【００３２】
なお上記実施形態では、電子部品装着領域３０にはＳＤカードスロット３１等が設けられているが、本発明はこれに限定されるものではなく、例えば電源コネクタ等の電子部品を装着するための装着部が設けられる電子機器において、内カバーがその電子部品の接続箇所を覆う場合にも適用可能である。
【００３３】
また上記実施形態では、外カバー２０はゴムから成り、内カバー４０は合成樹脂から成形されているが、本発明はこれらの材料に限定されるものではなく、外カバーが内カバーよりも相対的に軟らかい材料で成形される場合にも適用できる。
【００３４】
グリップカバー１２と外カバー２０は、使用者が違和感なく把持できるよう同じ材料で構成されているが、異なる材料で構成されてもよい。
【００３５】
さらに上記実施形態では、外カバー２０の先端に突起５１、５２が形成され、内カバー４０に、これらの突起が係合する凹部４１、４２が形成されているが、これに代えて、外カバー２０の先端に凹部を形成し、内カバー４０に、この凹部が係合する突起を形成してもよい。
【００３６】
また本発明はレンズ交換式カメラだけでなく、ビデオカメラ等の電子機器にも適用できる。
【符号の説明】
【００３７】
１０  カメラ本体
１１  グリップ
２０  外カバー
３０  電子部品装着領域
４０  内カバー
【図１】
0005857753.tif 000002
【図２】
0005857753.tif 000003
【図３】
0005857753.tif 000004
【図４】
0005857753.tif 000005
【図５】
0005857753.tif 000006
【図６】
0005857753.tif 000007
【図７】
0005857753.tif 000008
【図８】
0005857753.tif 000009
【図９】
0005857753.tif 000010